(57)【特許請求の範囲】
【請求項１】
水道栓側に接続される給水側具とこの給水側具に対し接続及び接続解除が自在な受水側具とからなる簡易接続具の前記受水側具を、圧力計の入圧部に装備してある水道圧測定装置。
【請求項２】
複数種の簡易接続具の前記受水側具を前記入圧部に対して択一的に切り換え接続する切換手段を設けてある請求項１記載の水道圧測定装置。
【請求項３】
前記入圧部に導入される水圧の変動の最高値又は最低値を表示する表示手段を設けてある請求項１又は２記載の水道圧測定装置。
【請求項４】
前記入圧部に導入される水圧の変動の時系列データを表示する表示手段を設けてある請求項３記載の水道圧測定装置。
【発明の詳細な説明】
【０００１】
【発明の属する技術分野】
本発明は水道圧測定装置に関し、特に、一般家庭での水道圧の測定を主目的とする水道圧測定装置に関する。
【０００２】
【従来の技術】
従来、水道圧を測定するには、水道管に固定的に取り付けてある圧力計を用いたり、水道管に設けられたバルブ付きの測定口に必要時に圧力計をネジ接続して測定するといった方法が採られるが、これら固設の圧力計や測定口の配備は工場や水道管理施設などの限られたところでしか見られず、一般家庭で見られるものではない。また、一般家庭において台所や浴室のカランに圧力計をホース接続して水道圧を測定しようとしても、近年のカランは口部の形状が多様でホースを直接には差込み接続できないものが多く、このため、例えば一般家庭での給湯器や湯沸かし器などの水道使用機器の異常に対し、水道圧の異常が原因かどうかを診断員が診断しようとする場合など、台所のカランを開いて水の出具合を見ることで水道圧を経験的に判断していた。
【０００３】
【発明が解決しようとする課題】
しかし、水の出具合から水道圧を経験的に判断するのでは正確な水道圧を把握できず、このため、給湯器や湯沸かし器などの水道使用機器の異常原因の判断を適切に行えない問題があった。
【０００４】
また、水道使用機器のなかには、ホースの差込み接続が可能な水抜き栓を備えているものもあることから、この水抜き栓に圧力計をホース接続して水道圧を測定する方法も考えられるが、このような水抜き栓がない場合も多く、また、水抜き栓があるとしても水抜き栓は通常、機器の内部や背面部などに設けられており、取り扱いが難しい問題があった。
【０００５】
この実情に鑑み、本発明の主たる課題は、一般家庭での水道圧の測定を容易に行える水道圧測定装置を提供する点にある。
【０００６】
【課題を解決するための手段】
〔１〕請求項１に係る発明の特徴は、水道栓側に接続される給水側具とこの給水側具に対し接続及び接続解除が自在な受水側具とからなる簡易接続具の受水側具を、圧力計の入圧部に装備してある点にある。
【０００７】
つまり、近年では、洗濯機に代表されるように、水道栓側に接続される給水側具とこの給水側具に対し接続及び接続解除が自在な受水側具とからなる簡易接続具を用いて水道に接続する水道使用機器が一般家庭に広く普及していることから、上記の如く圧力計の入圧部に簡易接続具の受水側具を装備しておけば、各家庭で水道使用機器の水道接続に用いている簡易接続具の給水側具を利用して、圧力計を水道に容易に接続することができ、これにより、一般家庭での水道圧の正確な測定を容易に行うことができて、給湯器や湯沸かし器などの一般家庭用の水道使用機器の水道圧測定による異常診断を正確かつ容易に行えるようになる。
【０００８】
〔２〕請求項２に係る発明の特徴は、複数種の簡易接続具の受水側具を前記入圧部に対して択一的に切り換え接続する切換手段を設けてある点にある。
【０００９】
この構成によれば、水道使用機器の水道接続に用いている各家庭の簡易接続具の形式の違いに対し、上記切換手段による受水側具の切り換えで対応して、水道使用機器用の簡易接続具の給水側具を利用した圧力計の水道接続を行うことができる。
【００１０】
また、一家庭において形式の異なる複数の簡易接続具を用いている場合では、上記切換手段による受水側具の切り換えにより、最も接続が容易な箇所にある簡易接続具の給水側具を利用することができる。
【００１１】
〔３〕請求項３に係る発明の特徴は、前記入圧部に導入される水圧の変動の最高値又は最低値を表示する表示手段を設けてある点にある。
【００１２】
この構成によれば、水道使用機器の異常原因の多くを占める過大な水道圧（例えばウオータハンマによる衝撃圧）や過小な水道圧（例えば複数箇所での水道の同時使用により低下する水道圧）を、上記表示手段により表示される水圧変動の最高値や最低値により正確に把握することができ、これにより、水道圧測定による水道使用機器の異常診断をより正確に行うことができる。
【００１３】
〔４〕請求項４に係る発明の特徴は、前記入圧部に導入される水圧の変動の時系列データを表示する表示手段を設けてある点にある。
【００１４】
この構成によれば、水道圧の異常が水道使用機器の異常原因となっている場合に、その水道圧異常そのものの原因を上記表示手段により表示される水圧変動の時系列データに基づき分析して、水道使用機器の異常発生の解決に役立てることができる。
【００１５】
【発明の実施の形態】
図２は本発明を用いた水道圧測定装置の一例を示し、１は入圧口１ａに導入される水圧を測定する圧力計、２は入圧口１ａに接続したホースであり、このホース２を水道に接続することで水道圧を測定する。
【００１６】
上記ホース２の水道接続側には、水道接続に用いる一般的なワンタッチ式簡易接続具の受水側具３ｘを取り付けてあり、この受水側具３ｘを用いて圧力計１を水道に接続する。
【００１７】
図１は水道への接続例を示し、４は洗濯機５の設置箇所（例えば脱衣室）に設けられたカラン（水道栓）であり、通常は、図１の（イ）に示す如く、このカラン４に洗濯機５の給水ホース６をワンタッチ式の簡易接続具３を用いて接続してある。
【００１８】
本例はこの洗濯機用のカラン４を利用して水道圧を測定する場合を示しており、測定にあたっては、洗濯機５の水道接続に用いている上記簡易接続具３において、カラン４側に取り付けられた給水側具３ａから給水ホース６側に取り付けられた受水側具３ｂを接続解除して取り外し、そして、この洗濯機用の受水側具３ｂに代えて図１の（ロ）に示す如く、圧力計用の前記受水側具３ｘを給水側具３ａに接続することで圧力計１を水道に接続して水道圧の測定を行う。
【００１９】
なお、７は圧力計用のホース２をカラン４に接続してカラン４を開いた状態で一時的に開栓する空気抜き栓であり、この空気抜き栓７の開栓によりホース２内の空気を排出することで、ホース２内への水道水の流入（換言すれば、入圧口１ａへの水道圧の導入）を円滑にして、ホース内溜り空気の影響を受けない状態で正確な水道圧測定を行えるようにする。
【００２０】
簡易接続具３における給水側具３ａはカラン４の口部に差し込んだ状態でネジ８によりカラン４の口部に固定してあり、この給水側具３ａに対し、洗濯機用の受水側具３ｂ及び圧力計用の受水側具３ｘの夫々は、給水側具３ａに差し込んだ状態でナット部９を締込み側に回すことにより給水側具３ａに接続し、また、接続状態からはナット部９を緩め側に回すことでに給水側具３ａから接続解除する構造のものである。
【００２１】
〔別実施形態〕
次に別の実施形態の説明する。
【００２２】
前述の実施形態では圧力計１に指針式のものを用いる例を示したが、図３に示す如く、測定圧力をデジタル表示する圧力計１' の入圧部に簡易接続具の受水側具３ｘを装備する等、圧力計には種々の形式のものを使用できる。
【００２３】
なお、図３に示す圧力計１' は、測定圧力をデジタル表示部１０にリアルタイムに表示することに加え、表示切り換えスイッチ１１の操作により、測定時間中における測定水圧の最高値及び最低値をデジタル表示部１０に表示し、また、グラフ表示部１２には測定時間中における測定水圧の変動の時系列データとして測定水圧の変動をグラフ表示するようにしてあり、このように入圧部に導入される水圧の変動の最高値や最低値を表示する表示手段、あるいはまた、時系列データを表示する表示手段を設けることで、水道圧異常の判定を一層正確に行えるようにしてもい。
【００２４】
また、同図３に示すものでは、異種の簡易接続具の受水側具３ｘ，３ｘ' を各別に取り付けた複数のホース２、２' を圧力計１' の入圧口１ａに対し袋ナット構造１３による接続をもって交換接続できるようにしてあり、このように、複数種の簡易接続具の受水側具を圧力計の入圧部に対して択一的に切り換え接続する適当な切換手段を設けることで、一層便利に使用できるようにしてもよい。
【００２５】
受水側具を圧力計の入圧部に装備する簡易接続具には、給水側具に対して螺合により受水側具を接続するものや、給水側具に対する受水側具の差込みに伴い両者の接続をロックするもの等、種々の形式・構造のものを使用できる。
【００２６】
また、圧力計の入圧部における受水側具の具体的装備構造も、先の実施形態で示す構造に限らず、種々の構成変更が可能である。
【図面の簡単な説明】
【図１】水道への接続例を示す図
【図２】装置の全体構成を示す図
【図３】別実施形態を示す装置構成図
【符号の説明】
１，１'       圧力計
３            簡易接続具
３ａ          給水側具
３ｘ，３ｂ    受水側具
４            水道栓
１１，１２    表示手段
１３          切換手段
【図１】
0003773367.tif 000002
【図２】
0003773367.tif 000003
【図３】
0003773367.tif 000004